(57)【要約】運動用自転車などの運動器具は、調節可能なサドルと使用者の前腕のための調節可能な載置部を有する。サドルの調節が載置部の調節を発生させるようにサドルと載置部とが連結されている。前腕載置部には使用者の手のための隣接した空間が備わっているので、器具を使う人は載置部の前のモニタに表示されているゲームをするためにリードで電子コントローラを手で操作することができる。
2004528954.tif 000002
【特許請求の範囲】
【請求項１】
使用者の前腕用の載置部と、前腕載置部の前方の使用者の手を受け入れるための自由空間とを含む腕支持部を含むハンドフリー運動器具。
【請求項２】
可撓性のある電気リードによって器具の本体に連結された手操作コントローラをさらに含む請求項１に記載の器具。
【請求項３】
使用の際の使用者の前腕用の載置部を有する腕支持部と、使用の際の使用者の視野に配置されたモニタと、モニタに表示される視覚的シーケンス又は画像を制御すること、又は影響をあたえるための使用者の手によって操作される制御手段とを含み、前記前腕載置部は、モニタに対して、アーム載置部とモニタの間に使用者の手のための空間が設けられるように配置され、前記コントローラは前記空間に使用者の手によって保持されるように配置されている、使用者の脚に対して抵抗を与えるハンドフリー運動器具。
【請求項４】
前記腕支持部が柱部を有し、前腕載置部が柱部の上端部に保持されている先行の請求項のいずれかに記載の器具。
【請求項５】
前記前腕載置部が、それぞれ１つの前腕のための２つの分離した載置部を含む請求項１から４のいずれかに記載の器具。
【請求項６】
各載置部が、アーチ状のパッドを含む請求項５に記載の器具。
【請求項７】
前記前腕載置部が、１つの載置部を含む請求項１から４のいずれかに記載の器具。
【請求項８】
前記１つの載置部が、前記前腕のかなりの長さにわたって使用者の両方の前腕を支えるパッドによって形成されている請求項７に記載の器具。
【請求項９】
前記パッドが、ほぼ細長い楕円形の断面を有する請求項８に記載の器具。
【請求項１０】
前記パッドが、弾性のあるクッションになった表面を有する請求項８又は９に記載の器具。
【請求項１１】
前記１つのパッドが、前記柱部の両側に延びる請求項４に従属する場合の請求項７から１０のいずれかに記載の器具。
【請求項１２】
前記前腕載置部の前にモニタが配置されている請求項１又はそれに従属するいずれかの請求項に記載の器具。
【請求項１３】
前記コントローラがモニタに表示される視覚的シーケンスを制御する請求項３又は請求項１２に記載の器具。
【請求項１４】
使用者による前記器具の操作がモニタに表示される視覚的シーケンスに影響を与える請求項１３に記載の器具。
【請求項１５】
サドルに座る人が、支持部により上半身が腕に支えられた状態で抵抗に対してペダルを回転させるように、１組のペダルとサドルと支持部とを含み、該サドルは、高さについて調節可能であり、該支持部は、サドルの高さの調節により支持部の位置が変化するようにサドルと連結している運動器具。
【請求項１６】
前記サドルが、直線経路に沿って移動可能であり、連結が、サドルの高さの増加により、支持部の高さの増加し、支持部とサドルとの間隔が増加する請求項１５に記載の器具。
【請求項１７】
前記サドルは、上側位置と下側位置との間の前記直線運動のための器具の土台により保持されている細長い部材に保持されている請求項１６に記載の器具。
【請求項１８】
前記直線運動が、支持部から離れた方向に垂直線から角度を有している請求項１６又は１７に記載の器具。
【請求項１９】
前記サドルは、ロックされているとき、サドルの動きを阻止し、ロックされていないとき、サドルを支えサドルが簡単に動くようにするロック可能な気体ばねに連結されている請求項１６から１８のいずれかに記載の器具。
【請求項２０】
前記サドルが、機械的連結によって支持部に連結されている請求項１５から１９のいずれかに記載の器具。
【請求項２１】
前記連結が、器具の土台と支持部とに連結される１対の平行リンクを含み、サドルの上向きへの動きが、上向きにリンクをピボット運動させて支持部を上向きにかつサドルから離れた方向に移動させ、サドルの下向きの動きが、下向きにリンクをピボット運動させて支持部を下向きにかつサドルに向かって移動させる請求項２０に記載の器具。
【請求項２２】
前記支持部が、上端部に腕載置部を有し、下端部近くで前記リンクに連結し支持されている柱部を含む請求項２１に記載の器具。
【請求項２３】
一端で前記サドルとピボット式に連結され、該一端に向かい合う端部で前記リンクの一方と連結され、前記サドルの動きを前記支持部の動きに伝達する連結リンクを含む請求項２１又は２２に記載の器具。
【発明の詳細な説明】
【技術分野】
【０００１】
本発明は、運動器具に関する。
【０００２】
近年、身体のフィットネスの向上及び体重を減らすためのジム及び家庭での運動装置の使用が増加してきた。多くの現代の仕事及び娯楽源の座着性のために、大部分の人が普通の日常生活で体を使うことがほとんどなくなってきた。その結果、家庭での運動器具を用いて又はジムでの付加的な身体運動が、健康にとって重要であるという見方が増えている。ジム又は家庭での典型的な運動装置は、踏み車、定置運動用自転車、漕ぎ器具、ステッパー、クライマー、クロストレーニング器などの心血管運動器具などである。
【０００３】
運動器具は、使用者の身体を運動させるために使用者の１つ以上の身体部分の動きに対する抵抗を提供する。この明細書では、使用者の腕以外の身体部分の動きに対する抵抗を提供する運動器具を「ハンドフリー運動器具」と称する。
【０００４】
使用者の脚への抵抗を提供するほとんど運動器具には、特に、使用者が立っているか、又はまっすぐな姿勢で座る運動器具には、使用者が手で握るハンドルが備わっている。これにより、使用者の手又は腕に過度の負担を生み出すことができる。
【０００５】
運動器具の中には、ＷＯ９７／３３６５６号明細書及び米国特許５，１２９，８７３号明細書の構成にあるように、使用者が、所望の場合、ハンドル棒に腕を置くことができるような構成のハンドル又はハンドル棒を提供するものもある。しかし、これらのハンドル棒構成は、特に前腕をハンドル棒に置くとき使用者の背中がまっすぐにならないために、さらに、ハンドル棒は実際、手で握るように設計されており、従って、通常、手で握ることができるほど小さな管形状であるために、楽に腕をおくことができない。このような管状把持部に長時間腕をおいておくのは特に楽ではない。
【０００６】
さらに、特に、モニタを備え、ディスプレイ、特にコンピュータゲームが組み込まれている運動器具では、使用者が、運動中にディスプレイを制御することができる場合、器具は使用者にとってより面白いものになる。
【０００７】
本発明の第１の局面によれば、使用者の前腕用の載置部と前腕載置部の前方の使用者の手を受け入れるための自由空間とを含む腕支持部を含むハンドフリー運動器具が提供される。
【０００８】
運動器具の分野におけるさらなる発展は、使用者が行っている運動活動のシミュレーション表示を使用者に提供する運動システムを含む。このようなシステムは、一般に、運動活動を行っている使用者の表示及びコンピュータが生成した競争者又は他の使用者との相対的なパフォーマンスの表示を示すディスプレイを組み込んでいる。
【０００９】
運動活動の単調さを緩和するために使用者が運動中ゲームを行うことができるように、運動装置が従来のビデオゲーム又はコンピュータゲームを制御できるようにした試みもある。
【００１０】
例えば、米国特許6,126,571号明細書は、従来の自転車をコンピュータとインターフェースさせ電子ゲームの制御として機能させる装置を記載している。この装置は、自転車の後輪の回転速度を検出する後輪センサー及び前輪の回転速度を検出する前輪センサーを有する。
【００１１】
米国特許4,637,605号明細書は、ゲームを行う人の動きが定置の運動自転車のハンドル棒からビデオのスクリーン上で制御されるビデオゲーム制御構成を開示している。このビデオ制御は、使用者の運動活動のレベルが現在の許容可能レベル以上である場合にのみ操作されることができる。
【００１２】
このような構成では、使用者は、ハンドルを握り、ハンドル把持位置からコンピュータゲームを操作しなければならない。制御はハンドルに設けられている。
【００１３】
本出願人の同時係属出願ＧＢ0116587.7号明細書において、運動器具が、主に使用者の手、指、手首及び前腕の動きにより制御されることが好ましいコンピュータゲームと組み合わせられている。このような微妙な制御の動きは、使用者の頭を使用者が行っている運動ではなくコンピュータゲームに集中させることが分かっている。これにより、人々は、もっと運動しようとするか、又は、早くあきらめることがなくなる。
【００１４】
コンピュータゲームが、使用者の肘より上の腕を動かすことなく操作可能なジョイステック、ジョイパッド又は類似のゲームコントローラによって制御される場合、使用者の注意力は、運動活動ではなくゲームに集中する。これにより、使用者はそうでない場合よりも長い時間運動することになる。
【００１５】
運動自転車、ステッパー器具などの使用者の脚に対し抵抗を与える現在の運動器具は、上記のように、使用者が握る把持部を備え、従って、使用者は、同時にジョイステック又は類似のゲームを制御することができない。
【００１６】
本発明の目的は、運動器具、特に使用者の脚に対して抵抗を与え、使用者にとって楽であり、使用者にコンピュータなどの制御を簡単にかつ楽に操作させたり、運動を行いながら同様の動作を行うために手を空けておくことができる運動器具を提供することである。
【００１７】
前腕の載置部に載置部の前に空間を与えることによって、使用者の手がコンピュータを操作するなどの他の動作を行うために空けておかれる。
【００１８】
本発明の別の局面によれば、使用の際の使用者の前腕用の載置部を有する腕支持部と、使用の際の使用者の視野に配置されたモニタと、モニタに表示される視覚的シーケンス又は画像を制御したり、又は影響をあたえるための使用者の手によって操作される制御手段とを含み、前記前腕載置部は、モニタに対して、アーム載置部とモニタの間に使用者の手のための空間が設けられるように配置され、前記コントローラは前記空間に使用者の手によって保持されるように配置されている、使用者の脚に対して抵抗を与える運動器具を提供する。
【００１９】
運動器具の１つの形態は、ペダルを踏んでいる間、サドルが使用者に座席を提供し、腕支持部がサドルから離間し、上半身を腕によって支えている状態で、１対の回転可能なペダルを通して使用者の脚に抵抗を与える。
【００２０】
本発明の第３の局面によれば、サドルに座る人が、支持部により上半身が腕に支えられた状態で抵抗に対してペダルを回転させるように、１組のペダルとサドルと支持部とを含み、該サドルは、高さについて調節可能であり、該支持部は、サドルの高さの調節により支持部の位置が変化するようにサドルと連結している運動器具が提供される。
【００２１】
以下は、実施例による付随の図面を参照した本発明のいくつかの実施形態の詳細な説明である。
【００２２】
図１は、運動用自転車のハウジングの一部及び１組のペダルが分かりやすくするために省略された運動用自転車の斜視図である。
【００２３】
図２は、自転車を用いる人を示し、自転車のサドルが最も低い位置にある図１の運動用自転車の側立面図である。
【００２４】
図３は、図２と同様であるが、最も高い位置のサドルを示している。
【００２５】
図４は、運動器具の第２の形態の模式側立面図である。
【００２６】
まず、図１から図３を参照すると、運動用自転車は、土台１０、ハウジング１１（その半分が１１ａで示されている）、サドルアセンブリ１２、連結部１３及び腕支持アセンブリ１４を含む。運動用自転車はまた、一対のペダル及び使用者によって調節可能なペダルの回転に抵抗を与えるための手段も含んでいる。これらの部分は、本発明の部分を形成しておらず、分かり易くするために省略する。これらは、ハウジング１１の円形開口１５に位置する。
【００２７】
土台１０は、矩形の低い壁１６、低い壁から上方向に延びている台形の側壁１７、側壁１７の間を延びている矩形の端部壁１８及び上壁１９から形成された閉じた箱型の形態を有する。側壁１７が台形状であるために、上壁は水平から約３０度の角度である（図２及び図３を参照）。
【００２８】
ハウジング１１は、垂直面に関し対称な２つの部分からなっており、上記のように１つのハウジング部分１１ａのみを示す。ハウジング１１は、合成樹脂、金属又はこれらの材料の適切な組み合わせから成形することができる。ハウジング部分は同一であるので、ハウジング部分１１ａのみを説明する。ハウジング部分１１ａは、ほぼ上向きの肢部２０ならびに第１及び第２の傾斜肢部２１、２２を有する逆Ｙ形である。第２の傾斜肢部２２は、土台１０の上壁１９に固定されている。第１の傾斜肢部２１は、その端部にハウジング１１の端部を支えるための１対の外向きの足部２３を保持している。上記のように、開口１５が、ペダル及び付属の抵抗機構（図示せず）を収納するためにハウジング１１ａの中央に形成されている。
【００２９】
ハウジング１１の上向き肢部２０は、サドルアセンブリ１２を保持している。このアセンブリは、上向き肢部２０に形成された通路部２６の直線経路において滑動可能であり、ローラ２７を備えている細長い棒部２５に取り付けられたサドルを含み、ローラは、棒部が通路から出たり入ったりスムーズな動きができるように棒部２５と係合している。棒部２５は、ハウジング部分１１に対する棒部２５の動きを制限する停止部２８を備えている。
【００３０】
連結部１３は、第１及び第２の平行リンク２９、３０及び連結リンク３１を含んでいる。第１の平行リンク２９は、一端でハウジング１１の第２の傾斜アーム２２にピボット式に連結し、向かい合う他端で、腕支持アセンブリ１４とピボット式に連結している。同様に、第２の平行リンク３０もまた、一端でハウジング１１の第２の傾斜肢部２２にピボット式に連結し、他端で、腕支持アセンブリ１４とピボット式に連結している。第１の平行リンク２９のピボットの法線であってピボットを通過する線は、第２の平行リンク３０のピボットの法線であってピボットを通過する線と平行である。図１から図３に見られるように、第２の平行リンク３０は、腕支持アセンブリ１４の下端部に近くで腕支持アセンブリ１４と連結し、第１の平行リンク２９は、その下端部から上に離間した点で腕支持アセンブリ１４と連結している。
【００３１】
連結リンクは、ほぼＬ形状であり、一端近くで、ピボット点３２(図２及び図３参照)で棒部２５の下端部とピボット式に連結している。反対の端部は、ピボット点３３で、対向する辺の先端部が第１及び第２の平行リンク２９、３０の腕アセンブリ１４上のピボット点で腕支持アセンブリ１４と連結している１対の離間平行三角平面の頂点とピボット式に連結している。
【００３２】
気体支柱３５が、棒部２５上のピボット点３２に隣接した連結リンク３１の端部及び足部２３に隣接したハウジング１１上の点と連結している。気体支柱３５は、ピストン３６及びシリンダー３７を有し、サドル２４の後部の下の棒部２５の頂部のスイッチ３８によって、相対運動に対してロックしたり、相対運動が可能なようにロックを解除したりすることができる。
【００３３】
腕支持アセンブリ１４は、上記のように、下端部が、第１及び第２の平行リンク２９、３０に連結している細長いアーチ状の柱部３９と、平面３４を有する。柱部３９の上端部は、使用者の前腕のための載置部４０を保持する。載置部のサドル２４に対する位置は、使用者がサドル２４に座り、前腕を載置部４０に置いたときに使用者の背中がまっすぐになるようなものである。載置部４０は、断面がほぼ細長い楕円形であり、柱部３９の両側に延びる。載置部４０の上表面は、上面図においてほぼ矩形であり、弾性のあるクッションになった上表面４１を有する。把持部は存在しない。一対のアーム４２が載置部４０の前方に延び、載置部４０から離れた端部で連結しており、そこには、ＣＲＴモニタ、好ましくはＬＣＤモニタ又はプラズマディスプレイのような公知であってもよいモニタ４３が保持されている。モニタ４３は、土台１０に含まれる適切な制御電子部品（図示せず）に連結されている。トレイ４４が、アーム４２の間に載置部４０に隣接して設けられている。
【００３４】
運動用自転車は、以下のように用いられる。
【００３５】
図２において、人４５がサドル２４に座り、ペダル（図示せず）に足を置いている。人４５は、載置部２０に前腕４６を置いて、載置部４０の前の自由空間に手４７を伸ばしている。この位置において、人の前腕は、前腕のかなりの長さにわたって支えられている。人の背中もまっすぐであり、制御電子部品にケーブル４９によって接続されているコントローラ４８を握るために手を用いることができる。ペダルは、ペダルの回転に制御可能で可変の抵抗を与えることができるハードウェアに連結されている。制御電子部品は、１つ以上の格納されたプログラムから、モニタ４３に表示される視覚的画像を生成し、プログラムは、人４５によって与えられたコントローラ３８からの信号によって制御される。この視覚的画像は、例えば、結果が、コントローラ３８の動作に左右されるゲームであってもよい。
【００３６】
コントローラ４８は、図面から分かるように、使用前にはトレイ４４に保持されており、トレイ４４は、使用者の前腕が載置部４０に置かれると、コントローラ４８が簡単に手の中に入るように置かれている。
【００３７】
サドル２４の高さを調節したい場合、器具から降りて、スイッチ３８を操作して気体支柱３５のロックを解除する。そしてサドルを図２に示された位置をから上げ、ローラ２７の案内で通路部２６から棒部２５を引き出す。気体支柱３５は、サドルアセンブリ１２の重量に対抗する弾力を提供し、これにより、使用者のサドルアセンブリ１２の昇降が容易になる。これにより、ピストン３６が気体支柱３５のシリンダー３７から延び、連結リンク３１も上昇する。この効果は、柱部３９の移動経路が第１及び第２の平行リンク２９、３０によって案内され、平面３４を介して柱部３９を上昇させることである。図２に見られるように、リンクは、最初、ハウジング１１から離れるにしたがって下向きに傾いており、柱部３９が上昇すると、それら１５は、柱部３９と、従って載置部４０とがハウジング１１の上方かつ外向きに移動した図３に示される位置に移動する。通路部２６が柱部３９から離れた方向に傾いているということと組み合わせると、これにより、サドル２４及び載置４０の様々な位置において最適な相対位置が得られる。このように、１つの調節によって、サドル２４及び載置部４０の正しい相対的な位置が素早く簡単に得ることができる。上記のように、これは、使用者が載置部４０に前腕を置いたとき、使用者の背中がまっすぐになる位置であってもよい。
【００３８】
一旦、正しい高さが得られると、スイッチを解除し、気体支柱３５をロックしてサドル２４及び柱部３９を必要な位置に固定する。スイッチ３８を解除し、サドルを下げるのであるが、このような動きをピストン３６を気体支柱３５のシリンダー３７に入れるという動きによって緩和しながらサドルを下げることができる。
【００３９】
サドルアセンブリ１２と腕支持アセンブリ１４との接続は、連結によって行われるに限らず、電子又は水圧手段あるいは他のいずれの適切な接続形態によって行われてもよい。図１〜図３の運動用自転車は、載置部４０の使用を示しているが、これは任意であり、運動用自転車は、柱部３９の上端部に従来の構成を有していてもよい。
【００４０】
使用者の前腕の載置部を含む腕支持及び前腕載置部の前の使用者の手を受け入れるための自由空間は、必ずしも運動用自転車に限らない。図４において、同様の原理がステップ器具に適用されている。図４において、図４と図１〜図３に共通の部分は同じ参照番号を付し、詳細な説明を行わない。
【００４１】
図４のステップ器具は、１対のレバー５１、５２が突出している固定ハウジング５０を含む。各レバーは、ハウジング５０から離れた端部において附属のレバー５２にピボット式に装着されたそれぞれのステップ５３を支持している。レバー５１、５２は、ピボット式運動を行うようにハウジング５０内に装着され、ある向きの１つのレバーのピボット式運動は、反対の向きの他方のピボット式運動によって達成される。従って、それぞれのステップ５３上に各足で立っている人は、階段を上るときに用いるのと同様な歩行動作を、選択された可変の抵抗に対抗して行うことができる。このような器具は、周知でありさらに詳しく説明しない。
【００４２】
柱部５４はハウジング５０の上端部から延び、その端部で図１〜図３を参照して上記したような種類の載置部４０を装着する。載置部は、アーム４２及びモニタ４３を付随しており、これもまた図１〜図３を参照して上記した種類のものである。
【００４３】
使用の際、ステップ５３に立っている人４５は、載置部４０の前の自由空間に手を延ばした状態で載置部４０上に前腕を置くことができる。そこで、人の手４７は、モニタ４３上に現れるゲームなどを制御するために用いることができるコントローラ４８を握ることができる。
【００４４】
肢の動きを含む運動器具に手で握ることができる何らかの形態の構成を設けることはよくあるが、これらの構成が前腕用の載置部を提供するように設計されていない。ある例において、腕はこのような構成によって支持されることができるが、これらは、前腕が載置されると背中がまっすぐにならないので楽ではないし、手がコントローラなどの装置を操作するために置くことができる何もない空間を提供するように設計されてもいない。この問題は、特定の前腕載置部を提供し、載置部の前の空間が、手がその空間でコントローラを操作できるように何もない状態の、図を参照して上記したような構成によって解決される。
【００４５】
多くの選択がある。単一の載置部４０は、各前腕に１つずつの１対の載置部としてもいい。このような載置部はそれぞれ、断面が一部楕円形又はアーチ状であり平面図で矩形のパッドを含んでいてもよい。図１〜図３の気体支柱３５は、これらの図に示す以外の配置であってもよい。いずれの実施形態のコントローラ４８もケーブル４９ではなく無線のリンクによって連結されていてもよい。
【図面の簡単な説明】
【００４６】
【図１】運動用自転車のハウジングの一部及び１組のペダルが分かりやすくするために省略された運動用自転車の斜視図である。
【図２】自転車を用いる人を示し、自転車のサドルが最も低い位置にある図１の運動用自転車の側立面図である。
【図３】図２と同様であるが、最も高い位置のサドルを示している。
【図４】運動器具の第２の形態の模式側立面図である。
【国際公開パンフレット】
2004528954.tif 000003
2004528954.tif 000004
2004528954.tif 000005
2004528954.tif 000006
2004528954.tif 000007
2004528954.tif 000008
2004528954.tif 000009
2004528954.tif 000010
2004528954.tif 000011
2004528954.tif 000012
2004528954.tif 000013
2004528954.tif 000014
2004528954.tif 000015
2004528954.tif 000016
2004528954.tif 000017
2004528954.tif 000018
2004528954.tif 000019
2004528954.tif 000020
2004528954.tif 000021
2004528954.tif 000022
2004528954.tif 000023
2004528954.tif 000024
【国際公開パンフレット（コレクトバージョン）】
2004528954.tif 000025
2004528954.tif 000026
【手続補正書】
【提出日】平成15年7月24日(2003.7.24)
【手続補正１】
【補正対象書類名】特許請求の範囲
【補正対象項目名】全文
【補正方法】変更
【補正の内容】
【特許請求の範囲】
【請求項１】
使用者の前腕（４６）を受け入れるよう構成された載置部（４０）と、使用者の前腕が載置部の置かれたとき前腕載置部の前方の使用者の手を受け入れるための自由空間とを含む腕支持部を有するハンドフリー運動器具であって、該運動器具は、コンピュータに制御信号を与える手操作コンピュータコントローラ（４８）をさらに含み、前記手操作コンピュータコントローラは、前記腕載置部（４０）に対して移動自在なハンドフリー運動器具。
【請求項２】
前記手操作コンピュータコントローラ（４８）が、可撓性のある電気リード（４９）を介してコンピュータに制御信号を与えるように構成されている請求項１に記載の器具。
【請求項３】
前記手操作コンピュータコントローラ（４８）が、無線リンクを介してコンピュータに制御信号を与えるように構成されている請求項１に記載の器具。
【請求項４】
前記前腕載置部（４０）の前方の使用者（４５）の視野内にモニタ（４３）が設けられている先行の請求項のいずれかに記載の器具。
【請求項５】
前記手操作コンピュータコントローラ（４８）が、前記モニタ（４３）に表示される視覚的シーケンス又は画像を制御する請求項４に記載の器具。
【請求項６】
使用者（４５）による前記器具の操作がモニタ（４３）に表示される視覚的シーケンスに影響を与える請求項５に記載の器具。
【請求項７】
前記前腕載置部（４０）が、モニタ（４３）に対して、腕載置部（４０）とモニタとの間に使用者の手のための空間を設けるように配置され、前記手操作コンピュータコントローラ（４８）が前記空間で使用者の手によって保持されるよう構成される請求項４から６のいずれかに記載の器具。
【請求項８】
前記器具が、使用者（４５）の脚に抵抗を与える手段をさらに含む先行の請求項のいずれかに記載の器具。
【請求項９】
前記腕支持部が柱部（３９）を有し、前腕載置部が柱部の上端部に保持されている先行の請求項のいずれかに記載の器具。
【請求項１０】
前記前腕載置部が、それぞれ１つの前腕のための２つの分離した載置部を含む先行の請求項のいずれかに記載の器具。
【請求項１１】
各載置部が、アーチ状のパッドを含む請求項１０に記載の器具。
【請求項１２】
前記前腕載置部が、１つの載置部を含む請求項１から９のいずれかに記載の器具。
【請求項１３】
前記１つの載置部が、前記前腕のかなりの長さにわたって使用者の両方の前腕（４６）を支えるパッドによって形成されている請求項１２に記載の器具。
【請求項１４】
前記パッドが、ほぼ細長い楕円形の断面を有する請求項１３に記載の器具。
【請求項１５】
前記パッドが、弾性のあるクッションになった表面を有する請求項１３又は１４に記載の器具。
【請求項１６】
前記１つのパッドが、前記柱部（３９）の両側に延びる請求項９に従属する場合の請求項１２から１５のいずれかに記載の器具。
【請求項１７】
サドルに座る人が、支持部により上半身が腕に支えられた状態で抵抗に対してペダルを回転させるように、１組のペダルとサドル（２４）と支持部（１４）とを含み、該サドルは、高さについて調節可能であり、該支持部は、サドルの高さの調節により支持部の位置が変化するようにサドルと連結している運動器具であって、サドルは機械的連結（１３）によって支持部と連結し、該連結が、器具の土台（１０）と支持部とを繋ぐ１対の平行リンク（２９、３０）を含み、サドルの上向きへの動きが、上向きにかつサドルから離れる方向にリンクをピボット運動させ、サドルの下向きの動きが、下向きにリンクをピボット運動させて支持部を下向きにかつサドルに向かって移動させることを特徴とする運動器具。
【請求項１８】
前記サドル（２４）が、直線経路に沿って移動可能であり、連結が、サドルの高さの増加により、支持部（１４）の高さの増加し、支持部とサドルとの間隔が増加する請求項１７に記載の器具。
【請求項１９】
前記サドル（２４）は、上側位置と下側位置との間の前記直線運動のための器具の土台（１０）により保持されている細長い部材に保持されている請求項１８に記載の器具。
【請求項２０】
前記直線運動が、支持部（１４）から離れた方向に垂直線から角度を有している請求項１８又は１９に記載の器具。
【請求項２１】
前記サドル（２４）は、ロックされているとき、サドルの動きを阻止し、ロックされていないとき、サドルを支えサドルが簡単に動くようにするロック可能な気体ばねに連結されている請求項１８から２０のいずれかに記載の器具。
【請求項２２】
前記支持部（１４）が、上端部に腕載置部を有し、下端部近くで前記リンクに連結し支持されている柱部（３９）を含む請求項１７から２１のいずれかに記載の器具。
【請求項２３】
一端で前記サドル（２４）とピボット式に連結され、該一端に向かい合う端部で前記リンクの一方と連結され、前記サドルの動きを前記支持部（１４）の動きに伝達する連結リンク（３１）を含む請求項１７から２２のいずれかに記載の器具。
【手続補正２】
【補正対象書類名】明細書
【補正対象項目名】０００５
【補正方法】変更
【補正の内容】
【０００５】
運動器具の中には、ＷＯ９７／３３６５６及び米国特許５，１２９，８７３号の構成にあるように、使用者が、所望の場合、ハンドル棒に腕を置くことができるような構成のハンドル又はハンドル棒を提供するものもある。しかし、これらのハンドル棒構成は、特に前腕をハンドル棒に置くとき使用者の背中がまっすぐにならないために、さらに、ハンドル棒は実際、手で握るように設計されており、従って、通常、手で握ることができるほど小さな管形状であるために、楽に腕をおくことができない。このような管状把持部に長時間腕をおいておくのは特に楽ではない。


【手続補正３】
【補正対象書類名】明細書
【補正対象項目名】０００７
【補正方法】変更
【補正の内容】
【０００７】
本発明の第１の局面によれば、使用者の前腕を受け入れるよう構成された載置部と、使用者の前腕が載置部の置かれたとき前腕載置部の前方の使用者の手を受け入れるための自由空間とを含む腕支持部を有するハンドフリー運動器具であって、該運動器具は、コンピュータに制御信号を与える手操作コンピュータコントローラをさらに含み、手操作コンピュータコントローラは、腕載置部に対して移動自在なハンドフリー運動器具が提供される。


【手続補正４】
【補正対象書類名】明細書
【補正対象項目名】００１５
【補正方法】変更
【補正の内容】
【００１５】
運動自転車、ステッパー器具などの使用者の脚に対し抵抗を与える現在の運動器具は、上記のように、使用者が握る把持部を備え、従って、使用者は、同時にジョイステック又は類似のゲームを制御することができない。
従来技術文献ＧＢ２３１４０２９、ＧＢ１４０２１２１、ＧＢ２１０８０００及びＵＳ３７２７９１３は、使用者の姿勢が調整される様々な運動器具を開示している。ＤＥ１９６０３２３７は、一体式負荷セル(integral load cells)を有する運動器具を開示している。


【手続補正５】
【補正対象書類名】明細書
【補正対象項目名】００１８
【補正方法】削除
【補正の内容】
【手続補正６】
【補正対象書類名】明細書
【補正対象項目名】００２０
【補正方法】変更
【補正の内容】
【００２０】
本発明の第２の局面によれば、サドルに座る人が、支持部により上半身が腕に支えられた状態で抵抗に対してペダルを回転させるように、１組のペダルとサドルと支持部とを含み、該サドルは、高さについて調節可能であり、該支持部は、サドルの高さの調節により支持部の位置が変化するようにサドルと連結している運動器具であって、サドルは機械的連結によって支持部と連結し、該連結が、器具の土台と支持部とを繋ぐ１対の平行リンクを含み、サドルの上向きへの動きが、上向きにかつサドルと離れる方向にリンクをピボット運動させ、サドルの下向きの動きが、下向きにリンクをピボット運動させて支持部を下向きにかつサドルに向かって移動させることを特徴とする運動器具が提供される。




【国際調査報告】
2004528954.tif 000027
2004528954.tif 000028
2004528954.tif 000029
2004528954.tif 000030